(57)【要約】【課題】  歯科臨床において無歯顎の患者に総義歯を作製する際に、上下の義歯が咬み合う咬合の基準となる仮想咬合平面を患者の顔貌から計測し設定する時に使用する咬合平面板に発光ダイオードを取り付け、スリット光を患者の顔表面に照射して基準線をガイドできる咬合平面板を提供する。【解決手段】  発光ダイオードのガイド光付き咬合平面板の構造は、口腔内の仮想咬合平面部（１）から口腔外に左右に延び顔貌の基準線と平行になるように読み取る両翼部（２）からなる。  両翼部（２）を金属板の２重構造にし、その間にガイド光の光源となる多数の発光ダイオード（４）を患者の顔貌方向にスリット光が照射するように内蔵する。発光ダイオードのスリット光が患者の顔貌に照射され、基準線と平行であるか読み取とることができる。【選択図】図１
2017023667.tif 000002
【特許請求の範囲】
【請求項１】
無歯顎の患者に総義歯を作製する際に、上下の義歯が咬み合う咬合の基準となる仮想咬合平面を患者の顔貌から計測し設定する時に、発光ダイオードのスリット光をガイドに利用した咬合平面板。
【請求項２】
本発明の発光ダイオード付き咬合平面板は、口腔外に左右に延び顔貌の基準線と平行になるように読み取る両翼部を金属板の２重構造にし、その間のガイドのスリット光の光源となる多数の発光ダイオードが内蔵されている。
【請求項３】
光源となる発光ダイオードは、患者の顔貌方向にスリット光が照射するように内蔵されている。
【発明の詳細な説明】
【技術分野】
【０００１】  本発明は歯科臨床において無歯顎の患者に総義歯を作製する際に、上下の義歯が咬み合う咬合の基準となる仮想咬合平面を患者の顔貌から計測し設定する時に使用する咬合平面板に発光ダイオードを取り付け、スリット光を患者の顔表面に照射して基準線をガイドできる咬合平面板に関するものである。
【背景技術】
【０００２】  歯科診療において無歯顎の患者に上下の総義歯を作製する時に、上下の義歯が咬み合わさる仮想咬合面を患者の顔貌から計測し設定するのが咬合平面板である。
仮想咬合平面は、患者の顔貌正面では左右の瞳孔を結んだ直線すなわち両瞳孔線（瞳孔間線）と平行で、顔貌側面では鼻翼の下縁と耳珠中央とを結ぶ直線すなわち鼻聴道線に平行な平面である。
仮想咬合平面は、金属性の咬合平面板を用いて個々の患者の顔貌から計測するが、咬合平面板は患者の顔に非接触のため目測で平行であるか読みとっていた。
このため、術者が咬合平面板の見る角度により微妙にずれることがあった。
しかしながら、既製のどの咬合平面板にもスリット光を備えて基準線を直接目視できる装置が備わってないのが現状である。
【先行技術文献】
【０００３】
【特許文献】
【非特許文献】
【発明の概要】
【発明が解決しようとする課題】
【０００４】  従来歯科診療において無歯顎の患者に上下の総義歯を作製する時に、患者の顔貌から仮想咬合平面と設定する。患者の顔貌から上下の義歯が咬み合わさる仮想咬合面を計測し設定する時に咬合平面板を用いる。
口腔内のロウ堤の仮想咬合平面は、口腔外の顔貌正面では左右の瞳孔を結んだ直線すなわち両瞳孔線（瞳孔間線）と平行で、顔貌側面では鼻翼の下縁と耳珠中央とを結ぶ直線すなわち鼻聴道線に平行な平面であるように設定される。
咬合平面板は、上顎ロウ堤の仮想咬合平面を患者の顔貌正面では左右の瞳孔を結んだ直線すなわち両瞳孔線（瞳孔間線）と平行で、顔貌側面では鼻翼の下縁と耳珠中央とを結ぶ直線すなわち鼻聴道線と平行になるように板の直線性を利用して設定する時に使用される。
従来の咬合平面板は、板状の金属製の単体なものしかなく、患者の顔貌から基準線を合わす時に、咬合平面板と顔貌表面から少なからず距離があるため術者の見る角度により微妙な誤差が生じる可能性があった。
また、患者の顔貌から基準線を正確に読み取るには、術者が目線の高さを基準線と同じ高さにしなければならなく姿勢変化や診療椅子の高さ調整が必要であった。
本発明は、効率良く仮想咬合平面を設定できるように、小型で軽量な発光ダイオードを光源としたスリット光を患者の顔表面に照射して基準線をガイドできる咬合平面板を提供するものである。
【課題を解決するための手段】
【０００５】  一般に既製の咬合平面板は、板状の金属製の単体なものしかなく、基準線をガイドする光を照射する装置が備わっていない。
本発明の発光ダイオードのスリット光を応用したガイド光付き咬合平面板は、従来の１枚板状の咬合平面板の口腔外の顔貌の基準線の平行を読み取るための板状の左右両翼部を２重の板状にし、その間に光源となる多数の発光ダイオードを顔貌方向にスリット光として照射するように内蔵設置したものである。
この光の直進性を利用した多数の発光ダイオードのスリット光が患者の顔表面に光のラインとしてガイドすることによって、顔貌正面では左右の瞳孔を結んだ直線すなわち両瞳孔線（瞳孔間線）と平行で、顔貌側面では鼻翼の下縁と耳珠中央とを結ぶ直線すなわち鼻聴道線に平行な仮想咬合平面を効率良く設定することができる。
【発明の効果】
【０００６】  本発明の発光ダイオード付き咬合平面板を用いれば小型で軽量な発光ダイオードを光源としたスリット光で基準線をガイドできるため、患者の顔貌正面では左右の瞳孔を結んだ直線すなわち両瞳孔線（瞳孔間線）と平行で、顔貌側面では鼻翼の下縁と耳珠中央とを結ぶ直線すなわち鼻聴道線と上顎ロウ堤の仮想咬合平面との平行性を効率良くチェックできる。
また直進性の高いスリット光をガイド光として応用しているため、術者の目視する角度の違いから生じる誤差がでにくいと考えられる。
ガイド光で平行性を読み取るため術者の姿勢変化を少なく負担が軽減する。
小型で軽量な光変換効率の高い発光ダイオードを使用しているので、電源となるバッテリーも小型化が可能で器具自体が軽量化できる。
【図面の簡単な説明】
【０００７】
【図１】本発明の発光ダイオード付き咬合平面板の斜視図である。
【図２】本発明の発光ダイオード付き咬合平面板の板状の左右両翼部を２重の板状にし、その間に光源となる多数の発光ダイオードを顔貌方向にスリット光として照射するように内蔵設置した咬合平面板の前方正面図である。
【発明を実地するための形態】
【０００８】  以下、本発明の形態について、図面を参照しつつ詳細に説明すれば図１において発光ダイオードのガイド光付き咬合平面板の構造は、口腔内の仮想咬合平面部（１）から口腔外に左右に延び顔貌の基準線と平行になるように読み取る両翼部（２）からなる。
また口腔内の仮想咬合平面部（１）から口腔外に出て左右に延びる両翼に真ん中の中心部に顔貌の正中に合わす垂直な基準棒（３）がある。
両翼部（２）を金属板の２重構造にし、その間のガイドのスリット光の光源となる多数の発光ダイオード（４）を患者の顔貌方向柄にスリット光が照射するように内蔵する。
口腔外に出て左右に延びる両翼に真ん中の中心部に顔貌の正中に合わす垂直な基準棒（３）の前側には発光ダイオードの電源となるバッテリー（５）が備わっている。
【符号の説明】
【０００９】１  口腔内の仮想咬合平面部
２  口腔外に左右に延び顔貌の基準線と平行になるように読み取る両翼部
３  口腔外に出て左右に延びる両翼に真ん中の中心部に顔貌の正中に合わす垂直な基準棒
４  ガイドのスリット光の光源となる多数の発光ダイオード
５  発光ダイオードの電源となるバッテリー
【図１】
2017023667.tif 000003
【図２】
2017023667.tif 000004